(57)【要約】      （修正有）【課題】ポテトチップスを一般家庭において電子レンジを使用して簡単かつ良好に作ることができる器具を提供する。【解決手段】側部に柄片２３を突設した器体２１と、この器体上に嵌置する柄片３６付きのスライサー体３４と、適所に持ち手３１，３１を設けるとともに中心部に空間部２６を形成して等間隔に挿入部２９・・を形成した仕切部３０・・を設けた載置部材２５と、スライスする生じゃが芋を抑止するホルダー３９から成るポテトチップスメーカーである。【選択図】図６
0003130695.tif 000002
【実用新案登録請求の範囲】
【請求項１】
側部に柄片を突設した器体と、この器体上に嵌置する柄片付きのスライサー体と、適所に持ち手を設けるとともに中心部に空間部を形成して等間隔に挿入部を形成した仕切部を設けた載置部材と、スライスする生じゃが芋を抑止するホルダーとから成ることを特徴とするポテトチップスメーカー。
【請求項２】
載置部材の周縁部の側部に持ち手を設けて成る請求項１に記載したポテトチップスメーカー。
【請求項３】
載置部材の中央空間部上方に持ち手を設けて成る請求項１に記載したポテトチップスメーカー。
【請求項４】
載置部材の全体において外周縁部から内周縁部にかけて等間隔に弯曲形状に構成する挿入部間の仕切部が広巾形状から狭巾形状に成る請求項１に記載したポテトチップスメーカー。
【考案の詳細な説明】
【技術分野】
【０００１】
本考案は、ポテトチップスメーカーに関するものであり、ポテトチップスを一般家庭において簡単かつ良好に作ることができる器具を提供するものである。
【背景技術】
【０００２】
近年、一般家庭においても、電子レンジを使用して生のじゃが芋からポテトチップスを作ることが普及しているところ、それには２つの問題点があった。
【０００３】
その一はポテトをスライスするときの厚さが不均一であったこと、その二は器具の中心部が閉口状態に成ることから、チップスへのマイクロ波の照射が不均一になるとともに周囲に載置するチップスが過熱状態になるために、チップスが部分的に焦げついたり、器具の合成樹脂材部分が溶解したりした欠点があった。
【０００４】
また、電子レンジ用トレーとしては、本考案の出願人会社の出願にかかる実用新案登録第３１１６２１０号のごときものがあるが、これは一例として棒状に切り取ったポテトスティックを作るものである。
【０００５】
【特許文献１】登録実用新案第３１１６２１０号公報
【考案の開示】
【考案が解決しようとする課題】
【０００６】
そこで、本考案は、前記のような電子レンジを使用するポテトチップスメーカーの欠点を除去した安全かつ合理的な構造から成る器具を提供することを目的とするものである。
【課題を解決するための手段】
【０００７】
本考案は、側部に柄片を突設した器体と、この器体上に嵌置する柄片付きのスライサー体と、適所に持ち手を設けるとともに中心部に空間部を形成して等間隔に挿入部を形成した仕切部を設けた載置部材と、スライスする生じゃが芋を抑止するホルダーから成るポテトチップスメーカーである。
【考案の効果】
【０００８】
第１に、全体が合成樹脂製に成る本器具は、電子レンジにおいてポテトチップスを作るものであるが、載置部材の中心部が空間状態に成るから、全体が弯曲形状に成る載置部材の全周挿入部に載置するチップス全部へのマイクロ波の照射効率がきわめて良くなり、加熱による仕上がり状態が均一になる。
【０００９】
第２に、器体が電子レンジの回転板面より１５〜２０ｍｍ位の上方位置にあるから、この点でも全チップスへのマイクロ波の照射効率がきわめて良好な構造となっている。
【００１０】
第３に、スライサーによる切削厚さはすべて１．５ｍｍ前後に設定できるから、チップスへは一定の加熱時間内で均一の焼き上げができるようなり、焦げ付きが起ることはない。
【００１１】
第４に、以上の結果として、合成樹脂製の載置部材が、電子レンジ内部における加熱によって溶解したり、破損したりするような現象は一切起らないようになる。
【考案を実施するための最良の形態】
【００１２】
生じゃが芋のスライスは、ホルダーの下面部をじゃが芋上面部に抑止して行うものであるから、じゃが芋は常に均一の厚さにスライスされることができるようになる。
【００１３】
本考案の構成にかかる載置部材を使用することにより、電子レンジが発生するマイクロ波は全周囲に載置している生チップスの全部に対して均一に照射するようになるから、器具メーカーはその使用注意書においてユーザーに対し必要な加熱時間等を明記し、使用上の便宜を図るようにすることができ、安全性を確保した器具となっている。
【００１４】
前記使用注意書においてメーカーとしては、例えば、スライスした生じゃが芋１００ｇにつき８〜９分／５００ｗと明記すればよい。
【実施例１】
【００１５】
１は器体で、この器体の一側部には柄片２が水平に突設し、この柄片上面には凸起３を設けている。
【００１６】
４は前記器体１に嵌置するスライサーで、その上面部に刃片５を設置したスライサー面の左右両側部にはガイドレール４’，４’を形成し、スライサー面の一側部には前記器体側の柄片２と同形状の柄片６を突設し、かつ前記柄片２の凸起３に嵌合する通孔７を設ける。
【００１７】
８は左右両端部に抑止部９，９を設け，下面部に突刺部１１を設けたホルダーで、このホルダーの上面部には把持部１０を設ける。前記ホルダーの下面突刺部を生じゃが芋ａの上面部分に固定した状態に保持し、生じゃが芋の下面部分をスライサーに当接して往復運動を繰返せばよい。（図４参照）
【００１８】
１２は中央部に空間部１３を形成し，全体が外周縁部１４から内周縁部１５にかけて等間隔に弯曲形状に挿入部１６・・・を形成した仕切部１７・・・を設けて成る載置部材で、この載置部材の全仕切部１７は外周縁部１４にかけて広巾形状に，内周縁部１５にかけて狭巾形状に形成し、前記中央空間部に隣接する各仕切部間の挿入部に挿入する生チップスｂが加熱中に相互に接触しないような間隔を保持する。
【００１９】
１８は前記載置部材１２の内周縁部１５に両基端を一体に立設した持ち手で、この持ち手は前記空間部１３の上方位置にある。
【００２０】
１９，１９は前記載置部材１２の内周縁部１５の下側部に設けた脚部で、この脚部は前記載置部材の底面部と電子レンジの回転板ｃとの間に１５〜２０ｍｍの間隔を保つようにする。
【実施例２】
【００２１】
２１は器体で、この器体の周縁部２２の一部には柄片２３が水平に突設する。
【００２２】
２４，２４は前記器体周縁部２２の対称位置に設けた切欠部で、この切欠部には後記載置部材２５の外周縁部の対称位置に略水平に設けた持ち手３１，３１が嵌置する。この持ち手には後記スライサー体３４の切欠部３７，３７にも嵌置するようになる。
【００２３】
２５は中央部に空間部２６を形成し、全体が外周縁部２７から内周縁部２８にかけて等間隔に弯曲形状に挿入部２９・・・を形成した仕切部３０・・・を設けて成る載置部材で、この載置部材の全仕切部３０は外周縁部２７にかけて広巾形状に，内周縁部２８にかけて狭巾形状に形成し、前記中央空間部に隣接する各仕切部間の挿入部に挿入する生チップスが加熱中に相互に接触しないような間隔を保持する。
【００２４】
３１，３１は前記載置部材２５の外周縁部２７の対称位置に設けた持ち手である。
【００２５】
３２，３２は前記載置部材２５の外周縁部２７の対称位置に設けた脚部で、この脚部とは別の外周縁部２７の対称位置に垂直の小脚部３３，３３を設ける。
【００２６】
３４は前記器体２１に嵌置するスライサーで、上面部に刃片３５を設置したスライサー面の左右両側部にはガイドレール３４’，３４’を形成し、スライサー面と同一方向の一側部には前記器体側の柄片２３と同形状の柄片３６を突設し、この柄片の外周縁には係止部３６’を設ける。
【００２７】
３７，３７は前記スライサー３４の左右周縁部３８の対称位置に設けた切欠部で、この切欠部は前記載置部材２５の持ち手３１，３１に嵌置する。
【００２８】
３９は左右両端部に抑止部４０，４０を設け，下面部に突刺部４２を設けたホルダーで、このホルダーの上面部には把持部４１を設ける。
【００２９】
実施例２の場合にあっても、前記ホルダー３９によって生じゃが芋ａを抑止してスライスしたり、スライスしたチップスｂを載置部材２５の各挿入部２９・・に挿入載置し、これを電子レンジの回転板ｃ上に置いて所定時間かけて作る方法は実施例１の場合と同じである。
【図面の簡単な説明】
【００３０】
【図１】全体の分離状態を示す各部材の斜視図（実施例１）
【図２】要部の関係を示す斜視図（実施例１）
【図３】要部材の縦断面図（実施例１）
【図４】(ａ)(ｂ)は要部の斜視図 （実施例１）
【図５】使用状態図（実施例１）
【図６】全体の分離状態を示す各部材の斜視図（実施例２）
【図７】要部の正斜視図（実施例２）
【図８】組立梱包時の全体の斜視図（実施例２）
【図９】組立梱包時の中央部縦断面図（実施例２）
【符号の説明】
【００３１】
１            器体
２            柄片
３            凸起
４            スライサー
４’，４’    ガイドレール 
５           刃片
６           柄片
７            通孔
８            ホルダー
９，９        抑止部
１０          把持部
１１          突刺部
１２          載置部材
１３          空間部
１４          外周縁部
１５           内周縁部
１６・・       挿入部
１７・・       仕切部
１８           持ち手
１９，１９     脚部
２１          器体
２２          周縁部
２３          柄片
２４，２４    切欠部
２５           載置部材
２６           空間部
２７           外周縁部
２８           内周縁部
２９・・       挿入部
３０・・       仕切部
３１，３１     持ち手
３２，３２      脚部
３３，３３     小脚部
３４           スライサー
３５           刃片
３６           柄片
３７，３７     切欠部 
３８           周縁部
３９           ホルダー
４０，４０     抑止部
４１           把持部
４２           突刺部
【図１】
0003130695.tif 000003
【図２】
0003130695.tif 000004
【図３】
0003130695.tif 000005
【図４】
0003130695.tif 000006
【図５】
0003130695.tif 000007
【図６】
0003130695.tif 000008
【図７】
0003130695.tif 000009
【図８】
0003130695.tif 000010
【図９】
0003130695.tif 000011